【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
観察者に対して像を表示するための光学システムであって、
約１５ｎｍ／ｃｍ未満の光学複屈折、約２０ｍｍ〜約２００ｍｍの範囲の第１のベストフィット曲率半径を有する湾曲した第１の主表面、及び、約５００ｍｍ超の第２のベストフィット曲率半径を有する反対側の第２の主表面を含み、前記湾曲した第１の主表面が前記第２の主表面に対して凹状である、第１の光学レンズと、
約１５ｎｍ／ｃｍ超の光学複屈折、前記第１の光学レンズの前記第２の主表面に対面し、かつそれに対して凸状になっており、約１４ｍｍ〜約２５０ｍｍの範囲の第１のベストフィット曲率半径を有する、湾曲した第１の主表面、及び、約１２５ｍｍ超の第２のベストフィット曲率半径を有する反対側の第２の主表面を含む、第２の光学レンズと、
前記第１の光学レンズの前記第１の湾曲した主表面上に配設され、それに適合し、所定の波長範囲内で少なくとも３０％の平均光反射率を有する、部分反射体と、
前記第２の光学レンズの前記湾曲した第１の主表面上に配設され、それに合致し、前記所定の波長範囲内で第１の偏光状態を有する光を実質的に反射し、直交する第２の偏光状態を有する光を実質的に透過する、反射偏光子と、
前記第１の光学レンズの前記第２の主表面上に配設され、それに適合する、第１のリターダ層と、を含む、光学システム。
【請求項２】
前記第１の光学レンズの前記湾曲した第１の主表面が、次式：
【数１】
2020519964.tif 000001
によって説明される非球面であり、式中、ｒは前記光学システムの光軸から前記非球面までの距離、ｃは曲率係数、ｋは円錐定数、Ｄ、Ｅ、Ｆ、Ｇ、Ｈ、Ｉ及びＪは前記非球面の補正係数であり、ｋが約４．６、ｃが約１／４４．９ｍｍ−１、Ｄが約０、Ｅが約−１．３Ｅ−０６、Ｆが約６Ｅ−０９、Ｇが約−１．６Ｅ−１２である、請求項１に記載の光学システム。
【請求項３】
前記第２の光学レンズの前記湾曲した第１の主表面が、次式：
【数２】
2020519964.tif 000002
によって説明される非球面であり、式中、ｒは前記光学システムの光軸から前記非球面までの距離、ｃは曲率係数、ｋは円錐定数、Ｄ、Ｅ、Ｆ、Ｇ、Ｈ、Ｉ及びＪは前記非球面の補正係数であり、ｋが約４．９、ｃが約１／１２０ｍｍ−１、Ｄが約０、Ｅが約２．５Ｅ−０６、Ｆが約０、Ｇが約０である、請求項１に記載の光学システム。
【請求項４】
前記第２の光学レンズの前記第２の主表面が、次式：
【数３】
2020519964.tif 000003
によって説明される非球面であり、式中、ｒは前記光学システムの光軸から前記非球面までの距離、ｃは曲率係数、ｋは円錐定数、Ｄ、Ｅ、Ｆ、Ｇ、Ｈ、Ｉ及びＪは前記非球面の補正係数であり、ｋが約４．９、ｃが約１／２３１ｍｍ−１、Ｄが約０、Ｅが約−１．４Ｅ−０５、Ｆが約２．１Ｅ−０８、Ｇが約−９．３Ｅ−１１である、請求項１に記載の光学システム。
【請求項５】
前記光学システムが光軸を有し、前記光軸に沿って伝播する光線が、前記第１の光学レンズ及び前記第２の光学レンズ、前記部分反射体、前記反射偏光子、及び前記第１のリターダ層を、実質的には屈折せずに通過し、ある物体から前記光学システムに入射する、１ミリメートル当たり約４０ラインペアの空間周波数を備えた光円錐であって、前記光円錐の主光線が射出瞳の開口部の中心を通過して前記光軸と約２２．５度の角度をなす、前記射出瞳を満たす光円錐について、前記光学システムの変調伝達関数（ＭＴＦ）が約０．２より大きいようになされている、請求項１〜４のいずれか１項に記載の光学システム。
【請求項６】
観察者に対して像を表示するための光学システムであって、
離された第１の光学レンズ及び第２の光学レンズであって、前記第１の光学レンズと前記第２の光学レンズとの間に光学レンズが配設されておらず、前記第１の光学レンズがガラスを含み、前記第２の光学レンズがプラスチックを含み、前記第１の光学レンズと前記第２の光学レンズのそれぞれが、両側の第１の主表面と第２の主表面とを含み、前記第１の光学レンズの前記第１の主表面と前記第２の主表面のベストフィット曲率半径の比が約５超であり、前記第２の光学レンズの前記第１の主表面と第２の主表面のベストフィット曲率半径の比が約１．５〜１０の範囲にある、第１の光学レンズ及び第２の光学レンズと、
前記第１の光学レンズの主表面上に配設され、それに適合し、所定の波長範囲内で少なくとも３０％の平均光反射率を有する、部分反射体と、
前記第２の光学レンズの主表面上に配設され、それに適合し、前記所定の波長範囲内で第１の偏光状態を有する光を実質的に反射し、直交する第２の偏光状態を有する光を実質的に透過する、反射偏光子と、
前記反射偏光子と前記部分反射体との間に配設された第１のリターダ層と、
射出瞳自身の中に開口部を画定する射出瞳と、を備え、
前記光学システムが光軸を有し、前記光軸に沿って伝播する光線が、前記第１の光学レンズ及び前記第２の光学レンズ、前記部分反射体、前記反射偏光子、及び前記第１のリターダ層を、実質的には屈折せずに通過し、ある物体から前記光学システムに入射する、１ミリメートル当たり約４０ラインペアの空間周波数を備えた光円錐であって、前記光円錐の主光線が前記射出瞳の前記開口部の中心を通過して前記光軸と約２２．５度の角度をなす、前記射出瞳を満たす光円錐について、前記光学システムの変調伝達関数（ＭＴＦ）が約０．２より大きいようになされている、光学システム。
【請求項７】
観察者に対して像を表示するための光学システムであって、
離された第１の光学レンズ及び第２の光学レンズであって、前記第１の光学レンズと前記第２の光学レンズとの間に光学レンズが配設されておらず、前記第１の光学レンズがガラスを含み、前記第２の光学レンズがプラスチック及び両側の非球面の主表面を含み、前記両側の２つの非球面の主表面のベストフィット曲率半径の比が１．１より大きい範囲にある、第１の光学レンズ及び第２の光学レンズと、
前記第１の光学レンズの湾曲した主表面上に配設され、それに合致し、所定の波長範囲内で少なくとも３０％の平均光反射率を有する、部分反射体と、
前記第２の光学レンズの前記非球面の主表面のうち一方の上に配設され、それに合致し、前記所定の波長範囲内で第１の偏光状態を有する光を実質的に反射し、直交する第２の偏光状態を有する光を実質的に透過する、反射偏光子と、
前記反射偏光子と前記部分反射体との間に配設された第１のリターダ層と、
射出瞳自身の中に開口部を画定する射出瞳と、を備え、
前記光学システムが光軸を有し、前記光軸に沿って伝播する光線が、前記第１の光学レンズ及び前記第２の光学レンズ、前記部分反射体、前記反射偏光子、及び前記第１のリターダ層を、実質的には屈折せずに通過し、ある物体から前記光学システムに入射する、１ミリメートル当たり約４０ラインペアの空間周波数を備えた光円錐であって、前記光円錐の主光線が前記射出瞳の前記開口部の中心を通過して前記光軸と角度θをなす、前記射出瞳を満たす光円錐について、それぞれが約５度超である少なくとも１つの大きいθ及び少なくとも１つの小さいθについて、前記光学システムが前記大きいθに対して小さい変調伝達関数（ＭＴＦ）を有し、前記小さいθに対して大きいＭＴＦを有するようになされている、光学システム。
【請求項８】
観察者に対して像を表示するための光学システムであって、
約１５ｎｍ／ｃｍ未満の光学複屈折を有し、湾曲した第１の主表面、及び、反対側の実質的に平坦な第２の主表面を有する、第１の光学レンズと、
前記第１の光学レンズの前記湾曲した第１の主表面上に配設され、それに適合し、所定の波長範囲内で少なくとも３０％の平均光反射率を有する、部分反射体と、
前記第１の光学レンズの前記実質的に平坦な第２の主表面上に配設され、それに適合する、第１のリターダ層と、
前記第１の光学レンズに隣接し、約１５ｎｍ／ｃｍ超の光学複屈折を有する第２の光学レンズであって、前記第１のリターダ層に対面する湾曲した第１の主表面と、反対側の湾曲した第２の主表面とを備える、第２の光学レンズと、
前記第２の光学レンズの前記湾曲した第１の主表面上に配設され、それに適合する、反射偏光子と、を備え、
前記所定の波長範囲内の波長を有する垂直入射光では、前記反射偏光子上の各位置が、第１の偏光状態について約７０％超の最大反射率を有し、直交する第２の偏光状態について約７０％超の最大透過率を有し、前記第１の偏光状態について最小透過率を有し、前記反射偏光子の中心付近にある少なくとも１つの第１の位置、並びに前記反射偏光子の縁部付近にある少なくとも１つの第２及び第３の位置である、少なくとも１つの第１、第２、及び第３の位置の最大透過率が、互いの約１％以内であり、前記少なくとも１つの第２の位置及び前記少なくとも１つの第３の位置が、前記少なくとも１つの第１の位置で約３０度〜約１１０度の範囲の角度をなす、光学システム。
【請求項９】
観察者に対して像を表示するための光学システムであって、
約１５ｎｍ／ｃｍ未満の光学複屈折を有し、湾曲した第１の主表面、及び、反対側の実質的に平坦な第２の主表面を有する、第１の光学レンズと、
前記第１の光学レンズの前記湾曲した第１の主表面上に配設され、それに適合し、所定の波長範囲内で少なくとも３０％の平均光反射率を有する、部分反射体と、
前記第１の光学レンズの前記実質的に平坦な第２の主表面上に配設され、それに適合する、第１のリターダ層と、
前記第１の光学レンズに隣接し、約１５ｎｍ／ｃｍ超の光学複屈折を有する第２の光学レンズであって、前記第１のリターダ層に対面する湾曲した第１の主表面、及び、反対側の湾曲した第２の主表面を備える、第２の光学レンズと、
前記第２の光学レンズの前記湾曲した第１の主表面上に配設され、それに適合する反射偏光子と、を備え、
垂直入射光では、反射偏光子上の各位置は、前記反射偏光子の中心付近にある少なくとも１つの第１の位置、並びに前記反射偏光子の縁部付近にある少なくとも１つの第２及び第３の位置である、少なくとも１つの第１、第２、及び第３の位置のバンドエッジ波長が互いの２％以内であるように前記バンドエッジ波長を有する、対応する反射帯域を有し、前記少なくとも１つの第２の位置及び前記少なくとも１つの第３の位置が、前記少なくとも１つの第１の位置で約３０度〜約１１０度の範囲の角度をなす、光学システム。
【請求項１０】
光学アセンブリの製造方法であって、
約３０ｍｍ〜約１０００ｍｍの範囲の第１のベストフィット曲率半径を有する第１の湾曲した成形型表面を含む第１の成形型を提供することと、
実質的に平坦な反射偏光子を提供することであって、前記反射偏光子上の各位置が、ブロック偏光状態について約７０％超の最大反射率を有し、直交する通過偏光状態について約７０％超の最大透過率を有し、前記反射偏光子にわたる前記通過偏光状態の方向の最大変化量が約θ１度である、提供することと、
前記実質的に平坦な反射偏光子を前記第１の湾曲した成形型表面上に配置し、圧力及び熱のうち少なくとも１つを加えて、前記実質的に平坦な反射偏光子を前記第１の湾曲した成形型表面に少なくとも部分的に適合させることと、
前記第１の成形型表面から離して位置合わせされた第２の成形型表面を含む第２の成形型を提供することであって、前記第１の成形型表面及び前記第２の成形型表面が、それらの間に成形型キャビティを画定している、提供することと、
前記成形型キャビティを、前記反射偏光子のガラス転移温度よりも高い温度を有する流動性材料で実質的に充填することと、
前記流動性材料を固体化して、前記反射偏光子に結合された固体光学素子を形成することであって、結合された前記反射偏光子にわたる前記通過偏光状態の方向の最大変化量が約θ２度であり、θ１とθ２が互いの約３度以内である、固体化することと、を含む、方法。
【請求項１１】
光学アセンブリの製造方法であって、
約３０ｍｍ〜約１０００ｍｍの範囲の第１のベストフィット曲率半径を有する第１の湾曲した成形型表面を含む第１の成形型を提供することと、
第１の偏光状態について約７０％超の平均光透過率を有し、直交する第２の偏光状態について約７０％超の平均光反射率を有する、実質的に平坦な反射偏光子を提供することと、
前記実質的に平坦な反射偏光子を、前記反射偏光子の第１の主表面が前記第１の湾曲した成形型表面に対面し、かつ第１の平均表面粗さを有した状態で、前記第１の湾曲した成形型表面上に配置することと、
圧力及び熱のうち少なくとも１つを加えて、前記実質的に平坦な反射偏光子を前記第１の湾曲した成形型表面に少なくとも部分的に適合させることと、
前記第１の成形型表面から離して位置合わせされた第２の成形型表面を含む第２の成形型を提供することであって、前記第１の成形型表面及び前記第２の成形型表面が、それらの間に成形型キャビティを画定している、提供することと、
前記成形型キャビティを、前記反射偏光子のガラス転移温度よりも高い温度を有する流動性材料で実質的に充填することと、
前記流動性材料を固体化して、前記反射偏光子に結合された固体光学素子を形成することであって、結合された前記反射偏光子の前記第１の主表面が、前記第１の平均表面粗さよりも大きい第２の平均表面粗さを有する、固体化することと、を含む、方法。
【請求項１２】
光学アセンブリの製造方法であって、
約３０ｍｍ〜約１０００ｍｍの範囲の第１のベストフィット曲率半径を有する第１の湾曲した成形型表面を含む第１の成形型を提供することと、
所定の波長範囲内で第１の偏光状態について約７０％超の平均反射率を有し、前記所定の波長範囲内で直交する第２の偏光状態について約７０％超の平均透過率を有する実質的に平坦な反射偏光子を提供することであって、前記実質的に平坦な反射偏光子が、前記反射偏光子にわたる第１の最大厚さ変化量を有する、提供することと、
前記実質的に平坦な反射偏光子を前記第１の湾曲した成形型表面上に配置し、圧力及び熱のうち少なくとも１つを加えて、前記実質的に平坦な反射偏光子を前記第１の湾曲した成形型表面に少なくとも部分的に適合させることと、
前記第１の成形型表面から離して位置合わせされた第２の成形型表面を含む第２の成形型を提供することであって、前記第１の成形型表面及び前記第２の成形型表面が、それらの間に成形型キャビティを画定している、提供することと、
前記成形型キャビティを、前記反射偏光子のガラス転移温度よりも高い温度を有する流動性材料で実質的に充填することと、
前記流動性材料を固体化して、前記反射偏光子に結合された固体光学素子を形成することであって、結合された前記反射偏光子が、前記反射偏光子にわたる第２の最大厚さ変化量を有し、前記第１の最大厚さ変化量と前記第２の最大厚さ変化量が互いの５％以内であることと、を含む、方法。
【請求項１３】
各干渉層が主に光学干渉によって光を反射又は透過する、複数のポリマー干渉層と、
主に光学干渉によって光を反射又は透過せず、形成された規則的なパターンを含む最外表面を有する、最外部非干渉層と、を含む一体型多層光学フィルムであって、前記多層光学フィルムは一体型構造である、一体型多層光学フィルム。
【請求項１４】
光学レンズと、前記光学レンズの主表面上に配設され、それに適合する、請求項１３に記載の一体型多層光学フィルムと、を備える、光学アセンブリ。
【請求項１５】
第１の主表面及び、少なくとも約１５ｎｍ／ｃｍの光学複屈折を有する光学レンズと、
前記第１の主表面上に配設され、それに適合する反射偏光子とを備える光学アセンブリであって、
円偏光二色性を有し、前記円偏光二色性は、上面視において、前記反射偏光子の中心から第１の軸に沿った逆向きの２方向のそれぞれに沿って前記反射偏光子の縁部まで増加し、前記反射偏光子の前記中心から別の第２の軸に沿った逆向きの２方向のそれぞれに沿って前記反射偏光子の前記縁部まで減少する、光学アセンブリ。